(57)【特許請求の範囲】
【請求項１】
Ｘ線撮影の為にユーザが操作する操作部と、Ｘ線撮影を行うＸ線撮影部と、当該操作部からの操作に従って前記Ｘ線撮影部の動作制御を行う制御部と、を有するＸ線画像診断装置であって、
前記制御部は、
Ｘ線撮影を行う前に、これからＸ線撮影を行う被写体の身体に関する情報及び該被写体のＸ線撮影対象部位を含む診療情報から、Ｘ線撮影を行う目的を示す目的情報を取得する手段と、
前記目的情報からＸ線撮影モードを決定する決定手段と、
前記操作部から予め入力されたＸ線照射条件に従って前記Ｘ線撮影部にＸ線撮影を開始させた後、前記操作部との通信が正常に動作しているか否かを判断する判断手段と、
前記判断手段が正常に動作していないと判断した場合には、前記決定手段が前記目的情報から決定したＸ線撮影モードに対応するＸ線照射条件に従って前記Ｘ線撮影部にＸ線撮影を継続させる制御手段と
を備えることを特徴とするＸ線画像診断装置。
【請求項２】
前記決定手段は、前記判断手段が正常に動作していないと判断する直前までの前記Ｘ線撮影部の動作制御を前記判断手段が正常に動作していないと判断した後も継続させる為の第一モード、前記判断手段が正常に動作していないと判断した後に予め設定された動作制御を行う為の第二モード、Ａｕｔｏ  Ｂｒｉｇｈｔｎｅｓｓ  Ｃｏｎｔｒｏｌを前記判断手段が正常に動作していないと判断した後に行う為の第三モード、前記判断手段が正常に動作していないと判断した後に前記Ｘ線撮影部によるＸ線撮影を停止させるための第四モード、の何れか１つを、前記目的情報から決定することを特徴とする請求項１に記載のＸ線画像診断装置。
【請求項３】
Ｘ線撮影の為にユーザが操作する操作部と、Ｘ線撮影を行うＸ線撮影部と、当該操作部からの操作に従って前記Ｘ線撮影部の動作制御を行う制御部と、を有するＸ線画像診断装置の制御方法であって、
前記制御部が、
Ｘ線撮影を行う前に、これからＸ線撮影を行う被写体の身体に関する情報及び該被写体のＸ線撮影対象部位を含む診療情報から、Ｘ線撮影を行う目的を示す目的情報を取得する工程と、
前記目的情報からＸ線撮影モードを決定する決定工程と、
前記操作部から予め入力されたＸ線照射条件に従って前記Ｘ線撮影部にＸ線撮影を開始させた後、前記操作部との通信が正常に動作しているか否かを判断する判断工程と、
前記判断工程で正常に動作していないと判断した場合には、前記決定工程で前記目的情報から決定したＸ線撮影モードに対応するＸ線照射条件に従って前記Ｘ線撮影部にＸ線撮影を継続させる制御工程と
を実行することを特徴とするＸ線画像診断装置の制御方法。
【発明の詳細な説明】
【技術分野】
【０００１】
本発明は、Ｘ線撮影を行う為の技術に関するものである。
【背景技術】
【０００２】
従来から存在するＸ線画像診断装置は、次のような各部を有する。
【０００３】
・  Ｘ線を照射するＸ線発生部
・  Ｘ線発生部と対向して配置されるＸ線検出部
・  Ｘ線発生部とＸ線検出部との間に設けられ、被検体を搭載する為の寝台
・  Ｘ線発生部、Ｘ線検出部、寝台を保持し、その位置を変動させる為の保持部
・  Ｘ線検出部から読み出された画像データを処理する画像処理部
・  Ｘ線の照射条件の設定や照射開始の指示、被検体の情報等を入力する為の操作部
・  上記各部の動作制御を行うためのシステム制御部
操作者である医師や技師が操作部からＸ線の照射条件の設定や照射開始の指示等、各種の動作指示を入力すると、その動作指示情報がシステム制御部に伝達される。システム制御部は、係る動作指示情報に基づいて上記各部に制御命令を送出することで、Ｘ線発生部とＸ線検出部と寝台の位置調整、Ｘ線の照射や停止、Ｘ線検出部からの画像読み取りの開始や停止等が実行され、Ｘ線撮影が行われる。
【０００４】
ここで、操作部は、Ｘ線照射が行なわれる施術室に設置される場合や、施術室とは別の操作室に設置される場合、施術室と操作室の両方に設置される場合があり、システム制御部とケーブルで接続されている。
【０００５】
通常、Ｘ線画像診断装置に対する各種の動作指示は、この操作部を介して行なわれる。また従来では、Ｘ線画像診断装置には操作部とは別系統で緊急停止ボタン等が備えられている。係る緊急停止ボタンは、Ｘ線照射時に操作部とシステム制御部とを接続するケーブルが抜ける、破損する、何らかの原因により動作指示情報の伝達ができなくなる、といった不測の事態が発生した場合に押下するもので、患者の安全確保の為に設けられている。
【０００６】
Ｘ線画像診断装置を構成する各機器間の通信異常を監視する為の技術は、例えば、特許文献１に開示されている。特許文献１には、Ｘ線画像診断装置を構成する各機器間の通信異常を監視し、各機器間を接続するケーブルの異常であるのか、各機器自体の異常であのか、を特定する機能を備えたＸ線画像診断装置が開示されている。
【特許文献１】特登録２９２７２０６（特開平８−２９９３１７号公報）
【発明の開示】
【発明が解決しようとする課題】
【０００７】
しかしながら、従来技術には、次のような問題がある。即ち、Ｘ線照射中に、操作部からの照射に関する動作指示情報の伝達が不通になった場合、別系統で装備された緊急停止ボタンによる照射停止等の操作しか行なえないという問題があった。
【０００８】
また、照射に関する動作指示情報の伝達が不通になればＸ線照射条件の変更はできないので、不通直前の照射条件のまま照射が継続される。これは、手術中等で撮影を継続する必要がある場合には大きな問題となる。例えば、一時的にＸ線照射量を強く設定している最中に動作指示情報の伝達が不通になった場合、その強い照射量のまま撮影を続けることになり、患者への過剰なＸ線照射が行われる可能性がある。
【０００９】
本発明は以上の問題に鑑みて成されたものであり、操作部からの動作指示情報の伝達が不通になった場合でも、Ｘ線撮影の目的に応じてその後のＸ線撮影を制御する為の技術を提供することを目的とする。
【課題を解決するための手段】
【００１０】
本発明の目的を達成するために、例えば、本発明のＸ線画像診断装置は以下の構成を備える。
【００１１】
即ち、Ｘ線撮影の為にユーザが操作する操作部と、Ｘ線撮影を行うＸ線撮影部と、当該操作部からの操作に従って前記Ｘ線撮影部の動作制御を行う制御部と、を有するＸ線画像診断装置であって、
前記制御部は、
Ｘ線撮影を行う前に、これからＸ線撮影を行う被写体の身体に関する情報及び該被写体のＸ線撮影対象部位を含む診療情報から、Ｘ線撮影を行う目的を示す目的情報を取得する手段と、
前記目的情報からＸ線撮影モードを決定する決定手段と、
前記操作部から予め入力されたＸ線照射条件に従って前記Ｘ線撮影部にＸ線撮影を開始させた後、前記操作部との通信が正常に動作しているか否かを判断する判断手段と、
前記判断手段が正常に動作していないと判断した場合には、前記決定手段が前記目的情報から決定したＸ線撮影モードに対応するＸ線照射条件に従って前記Ｘ線撮影部にＸ線撮影を継続させる制御手段と
を備えることを特徴とする。
【００１２】
本発明の目的を達成するために、例えば、本発明のＸ線画像診断装置の制御方法は以下の構成を備える。
【００１３】
即ち、Ｘ線撮影の為にユーザが操作する操作部と、Ｘ線撮影を行うＸ線撮影部と、当該操作部からの操作に従って前記Ｘ線撮影部の動作制御を行う制御部と、を有するＸ線画像診断装置の制御方法であって、
前記制御部が、
Ｘ線撮影を行う前に、これからＸ線撮影を行う被写体の身体に関する情報及び該被写体のＸ線撮影対象部位を含む診療情報から、Ｘ線撮影を行う目的を示す目的情報を取得する工程と、
前記目的情報からＸ線撮影モードを決定する決定工程と、
前記操作部から予め入力されたＸ線照射条件に従って前記Ｘ線撮影部にＸ線撮影を開始させた後、前記操作部との通信が正常に動作しているか否かを判断する判断工程と、
前記判断工程で正常に動作していないと判断した場合には、前記決定工程で前記目的情報から決定したＸ線撮影モードに対応するＸ線照射条件に従って前記Ｘ線撮影部にＸ線撮影を継続させる制御工程と
を実行することを特徴とする。
【発明の効果】
【００１４】
本発明の構成によれば、操作部からの動作指示情報の伝達が不通になった場合でも、Ｘ線撮影の目的に応じてその後のＸ線撮影を制御することができる。
【発明を実施するための最良の形態】
【００１５】
以下、添付図面を参照し、本発明の好適な実施形態について説明する。なお、以下説明する実施形態は、本発明を具体的に実施した場合の一例を示すもので、特許請求の範囲に記載の構成の具体的な実施例の１つである。
【００１６】
［第１の実施形態］
図１は、本実施形態に係るＸ線画像診断装置の機能構成例を示すブロック図である。
【００１７】
保持部１０１の一端には、Ｘ線発生源としてのＸ線発生部（Ｘ線管）１０２が備わっており、他端には、被写体１０５を透過したＸ線を検出するためのＸ線検出部１０３が備わっている。即ち、保持部１０１は、Ｘ線発生部１０２とＸ線検出部１０３とを対向した状態で固定支持するためのものである。
【００１８】
また、Ｘ線発生部１０２とＸ線検出部１０３との間には、寝台１０４が設けられる。寝台１０４は、天板（不図示）と天板を支える脚部（不図示）とを備え、天板には患者である被写体１０５が搭載される。
【００１９】
天板は所要の方向、例えば垂直方向及び水平方向に移動可能に構成される。寝台１０４の天板（不図示）及び保持部１０１には、それぞれモータ（不図示）と位置センサ（不図示）が設けられ、各モータ及び位置センサは機械制御部１０６に接続されている。機械制御部１０６は、位置センサによるセンサ情報に応じてモータを駆動制御する。これにより、寝台１０４の天板や保持部１０１が所要の位置関係になるように駆動制御される。
【００２０】
Ｘ線発生部１０２は、高電圧発生部１０７に接続されており、高電圧発生部１０７から所要の電圧を受けることでＸ線を被写体１０５に向けて照射する。更に、高電圧発生部１０７は、Ｘ線制御部１０８に接続されている。Ｘ線制御部１０８は高電圧発生部１０７を駆動制御するためのもので、高電圧発生部１０７は係る駆動制御を受けることで、Ｘ線撮影（静止画撮影、動画撮影）を行う際にＸ線発生部１０２から照射されるＸ線の量（実際には電圧）などを制御する。
【００２１】
さらに、機械制御部１０６及びＸ線制御部１０８は、システム制御部１０９に接続されている。
【００２２】
Ｘ線検出部１０３には画像読取部１１１が接続されている。Ｘ線検出部１０３は、Ｘ線発生部１０２から照射され、被写体１０５、寝台１０４を透過したＸ線を検出すると、検出したＸ線の量に基づいて画像データ（Ｘ線画像データ）を形成する。Ｘ線検出部１０３によるＸ線画像データの形成処理については周知の技術であるので、これについての説明は省略する。
【００２３】
画像読取部１１１は、Ｘ線検出部１０３が形成した画像データをＸ線検出部１０３から読み取り、読み取った画像データを、後段の画像処理部１１２に送出する。
【００２４】
画像処理部１１２は、画像読取部１１１から受けた画像データに対して、ガンマ補正やノイズ除去等の画像処理を施す。そして画像処理部１１２は、係る画像処理済みの画像データにシステム制御部１０９から受けたその他の情報を重ねた映像の信号を生成し、生成した信号を後段の表示部１１３に送出する。システム制御部１０９から受けたその他の情報には、被写体１０５の情報（氏名、年齢、性別、身長、体重、静止画または動画撮影対象部位等）、Ｘ線照射条件を含む静止画及び動画撮影条件が含まれている。
【００２５】
表示部１１３は、ＣＲＴや液晶画面などにより構成されており、画像処理部１１２から送出された信号に基づいた映像を表示する。
【００２６】
システム制御部１０９は、機械制御部１０６、Ｘ線制御部１０８、画像読取部１１１、画像処理部１１２、操作部１１０、Ｘ線診療情報管理部１１４のそれぞれの動作制御を行うことで、Ｘ線画像診断装置が行うものとして後述する各処理の動作制御を行う。
【００２７】
操作部１１０は、各種の指示をシステム制御部１０９に対して入力するためのものである。操作部１１０は例えば、Ｘ線照射条件及び被写体１０５の情報等を入力するためのキーボードやマウス、タッチパネル、メンブレンボタン、ジョイスティック、照射開始及び停止のトリガーを与える照射スイッチ及びフットペダルにより構成されている。
【００２８】
操作部１１０から、静止画又は動画の撮影条件、被写体の情報（氏名、年齢、性別、身長、体重、静止画または動画撮影対象部位等）や、技師の情報等が入力されると、システム制御部１０９はこれらを上記「その他の情報」として画像処理部１１２に送出する。もちろん、これら全ての情報を一度に送出しなくても良く、操作部１１０からの指示に応じた情報のみを適宜送出すればよい。
【００２９】
また、撮影条件などの情報は、Ｘ線制御部１０８、機械制御部１０６、画像読取部１１１にも送出される。
【００３０】
また、システム制御部１０９は、画像処理部１１２を介して、画像読取部１１１に対し、読取開始タイミングを制御する。
【００３１】
Ｘ線診療情報管理部１１４は、院内の患者の診療情報を管理する。例えば、患者の氏名、年齢、性別、身長、体重、担当医、治療計画、Ｘ線照射による検査や手術の情報（予約情報、受付情報、静止画及び動画撮影画像等）、静止画または動画撮影対象部位、診断結果等が管理される。一般に、病院内の患者に関するあらゆる情報の伝達システムとしては、ＨＩＳ／ＲＩＳ（Ｈｏｓｐｉｔａｌ  Ｉｎｆｏｒｍａｔｉｏｎ  Ｓｙｓｔｅｍ／Ｒａｄｉｏｇｌｏｇｙ  Ｉｎｆｏｒｍａｔｉｏｎ  Ｓｙｓｔｅｍ）が知られている。
【００３２】
システム制御部１０９は、Ｘ線診療情報管理部１１４と接続されており、Ｘ線診療情報管理部１１４との間で院内の患者情報、検査や手術の情報の送受信を行う。
【００３３】
図２は、システム制御部１０９の構成例を示す図である。
【００３４】
図２に示す如く、システム制御部１０９は、ＣＰＵ２０１、ＲＡＭ２０２、ＲＯＭ２０３により構成されており、それらはバス２９０に接続されている。
【００３５】
ＣＰＵ２０１は、ＲＯＭ２０３に格納されているプログラムやデータ、ＲＡＭ２０２に格納されているデータを用いてＸ線画像診断装置全体の制御を行うと共に、システム制御部１０９が行うものとして後述する各処理を実行する。
【００３６】
ＲＡＭ２０２は、ＣＰＵ２０１がＸ線診療情報管理部１１４から読み出した様々なデータを一時的に記憶する為のエリアを有すると共に、ＣＰＵ２０１が各種の処理を実行する際に用いるワークエリアも有する。即ち、ＲＡＭ２０２は、各種のエリアを適宜提供することができる。
【００３７】
ＲＯＭ２０３には、図２に示す如く、動作指示情報伝達異常検知プログラム２０４、動作モード決定プログラム２０５、照射条件制御プログラム２０６が格納されている。なお、ＲＯＭ２０３にはこれらのプログラム以外にも、以下の説明において既知の情報として登場するものや、当業者であれば既知の情報として取り扱うであろうものについても格納されている。更にＲＯＭ２０３には、Ｘ線画像診断装置の基本設定データや起動プログラムなども格納されている。
【００３８】
次に、ＲＯＭ２０３に格納されている、動作指示情報伝達異常検知プログラム２０４、動作モード決定プログラム２０５、照射条件制御プログラム２０６のそれぞれについて説明する。
【００３９】
動作指示情報伝達異常検知プログラム２０４は、操作部１１０からのＸ線照射条件の設定や照射の開始及び停止等といった、Ｘ線撮影に係る指示（Ｘ線照射に関する動作指示情報）の情報伝達が正常に行われているか否かをチェックする。そして係るチェックの結果を動作モード決定プログラム２０５に通知する。
【００４０】
動作モード決定プログラム２０５は、ＣＰＵ２０１がＸ線診療情報管理部１１４からＲＡＭ２０２にロードした、これからＸ線撮影を行う被写体１０５の診療情報に基づいて、係るＸ線撮影の目的を示す目的情報を導出する。診療情報には上述の通り治療計画やＸ線照射による検査や手術の情報（予約情報、受付情報）等といったものが含まれている。そして動作モード決定プログラム２０５は、Ｘ線画像診断装置に設定可能な複数の動作モード（Ｘ線撮影モード）のうち、導出した目的情報に対応する動作モードを決定する。そして動作モード決定プログラム２０５は、操作部１１０からの情報伝達が正常に行われていない旨のチェック結果を動作指示情報伝達異常検知プログラム２０４から通知された場合に、この決定した動作モードを、照射条件制御プログラム２０６に通知する。
【００４１】
照射条件制御プログラム２０６は、予め設定された情報に基づいて、Ｘ線制御部１０８や画像読取部１１１を駆動制御する。予め設定された情報には、Ｘ線を照射する際の管電流、管電圧、フレームレート等の各照射条件情報、ＡＢＣ（Ａｕｔｏ  Ｂｒｉｇｈｔｎｅｓｓ  Ｃｏｎｔｒｏｌ）制御のオン／オフ等の設定情報、等の情報が含まれている。なお、照射条件制御プログラム２０６が動作モード決定プログラム２０５から動作モードの通知を受けた場合における照射条件制御プログラム２０６の動作については後述する。
【００４２】
なお、ここで説明したそれぞれのプログラムの機能は、ＣＰＵ２０１が係るプログラムを実行することで実現し得るものである。
【００４３】
図３は、Ｘ線画像診断装置が行うＸ線撮影処理のフローチャートである。なお、係るフローチャートに従った処理を開始する時点では既に、ＲＡＭ２０２には、被写体１０５の診療情報がＸ線診療情報管理部１１４からロードされているものとする。もちろん、係る診療情報は、必要となるタイミングでＲＡＭ２０２にロードしても良い。
【００４４】
ステップＳ３０２では、ＣＰＵ２０１は、Ｘ線の照射開始（Ｘ線撮影開始）の指示を待機する。そして、操作部１１０を介して係る指示が入力された場合には処理をステップＳ３０３に進める。一方、係る指示が入力されない限りは、ステップＳ３０２で待機する。Ｘ線の照射開始の指示は、例えば、操作部１１０を構成するフットペダルまたは照射スイッチが押下されることによって与えられる。
【００４５】
ステップＳ３０３では、ＣＰＵ２０１は、動作モード決定プログラム２０５を実行する。これにより、ＣＰＵ２０１は、予めＲＡＭ２０２にロードされた被写体１０５の診療情報に基づいて、係るＸ線撮影の目的を示す目的情報を導出（取得）する。そしてＣＰＵ２０１は、Ｘ線画像診断装置に設定可能な複数の動作モードのうち、導出した目的情報に対応する動作モードを決定する。
【００４６】
ステップＳ３０３における処理の詳細については、図４に示すフローチャートを用いて後述する。
【００４７】
次に、ステップＳ３０４では、ＣＰＵ２０１は、照射条件制御プログラム２０６を実行する。これにより、ＣＰＵ２０１は、管電流、管電圧、フレームレート等の各照射条件情報、ＡＢＣ制御のオン／オフ等の設定情報に基づいて、Ｘ線撮影部としてのＸ線制御部１０８及び（画像処理部１１２を介して）画像読取部１１１を制御する。これにより、Ｘ線の照射が開始される。なお、各照射条件情報、設定情報等の診療情報は、予め操作部１１０を介して設定されたデフォルト値、若しくは手術の前に医師または技師によって設定された値（制御情報）である。
【００４８】
ステップＳ３０５では、ＣＰＵ２０１は、動作指示情報伝達異常検知プログラム２０４を実行する。これにより、ＣＰＵ２０１は、操作部１１０からのＸ線照射に関する動作指示情報の伝達が正常になされているか否かをチェックする。
【００４９】
具体的には、ＣＰＵ２０１は、Ｘ線撮影の開始後、操作部１１０に所定の異常検知情報を送信する。ＣＰＵ２０１と操作部１１０との間の通信が正常に動作していれば、この異常検知情報は正常に操作部１１０に届くので、操作部１１０はこの異常検知情報に所定の加工を施し、加工済みの異常検知情報をＣＰＵ２０１に返信する。そしてＣＰＵ２０１は、この返信された異常検知情報が、予め定められた内容の情報となっているのか否かをチェックする。係るチェックの結果、返信された異常検知情報が予め定められた内容の情報ではない場合、若しくは、異常検知情報を操作部１１０に送信してから一定時間以上何の返信もなかった場合は、操作部１１０からの情報伝達が正常に行なわれなくなったと判断する。もちろん、係るチェックの結果、返信された異常検知情報が予め定められた内容の情報であり、且つ係る返信が、異常検知情報を操作部１１０に送信してから一定時間以内にあった場合は、操作部１１０からの情報伝達が正常に行なわれていると判断する。
【００５０】
操作部１１０からの情報伝達に異常が生じたことを検知した場合には処理をステップＳ３０７に進め、異常を検知していない場合には、処理をステップＳ３０６に進める。
【００５１】
なお、ステップＳ３０５におけるチェック処理については、ここで挙げた処理に限定するものではなく、適宜様々なものが考え得る。
【００５２】
ステップＳ３０６では、ＣＰＵ２０１は、Ｘ線の照射開始の指示が継続しているのか否かをチェックする。例えば、操作部１１０を構成するフットペダルまたは照射スイッチが押下され続けているのか否かをチェックする。係るチェックの結果、Ｘ線の照射開始の指示が継続している場合には処理をステップＳ３０４に進め、Ｘ線の照射開始の指示が継続していない場合には本処理を終了させる。
【００５３】
一方、ステップＳ３０７では、ＣＰＵ２０１は照射条件制御プログラム２０６を実行し、ステップＳ３０３で決定した動作モードに基づいて、Ｘ線制御部１０８を制御すると共に、画像処理部１１２を介して画像読取部１１１を制御する。ステップＳ３０７における処理の詳細は、図６に示すフローチャートを用いて後述する。
【００５４】
次に、ステップＳ３０３における処理の詳細について、図４を用いて説明する。図４は、ステップＳ３０３における処理の詳細を示すフローチャートである。
【００５５】
先ず、ステップＳ４０２では、ＣＰＵ２０１は、動作モード決定プログラム２０５を実行する。これにより、ＣＰＵ２０１は、被写体１０５の診療情報に基づいて、係るＸ線撮影の目的を示す目的情報を導出（取得）する。本ステップにおける処理についての詳細は後述する。
【００５６】
次に、ステップＳ４０３では、ＣＰＵ２０１は先ず、図５に例示したテーブル（動作モード決定テーブル）を参照する。そして、ステップＳ４０２において導出した目的情報に対応する動作モードを決定する。
【００５７】
図５は、目的情報と動作モードとの対応関係を示すテーブルの構成例を示す図である。なお、図５に例示したテーブルのデータは予め作成され、ＲＯＭ２０３内に格納されているものとする。
【００５８】
本実施形態では、複数の動作モードのうち何れか１つを選択してＸ線画像診断装置に設定することができる。このような複数の動作モードのうち、何れを設定するのかは、これから行うＸ線撮影の目的に応じて決まる。従って、本実施形態では、ステップＳ４０２において導出した目的情報に対応する動作モードを、図５のテーブルを用いて決定する。
【００５９】
図５に例示したテーブルには、第一モード、第二モード、第三モード、第四モードの４つと、それぞれのモードに対応する目的情報が登録されている。
【００６０】
例えば、これから行うＸ線撮影の目的が「手術Ａ」の為である場合、換言すれば、ステップＳ４０２において導出した目的情報が「手術Ａ」を示す場合には、ステップＳ４０３では第一モードを選択する。第一モードとは、操作部１１０からの情報伝達が正常に行なわれなくなったと判断する直前までのＸ線制御部１０８、画像読取部１１１の動作制御を、係る判断後も継続させる為のモードである。第一モードは、照射を停止することによるリスクが大きい場合等、装置の可用性を重視する際の動作モードである。
【００６１】
例えば、Ｘ線撮影を行いながら脳の手術を行う場合、係るＸ線撮影を中断することには大きなリスクが生じる。また、脳の手術中に行うＸ線撮影には特殊な撮影条件が設定されていることが多いので、係る理由からも、Ｘ線撮影を中断することには大きなリスクが生じる。従って、目的情報が、脳の手術など、Ｘ線撮影を中断することに大きなリスクが生じうる様な手術（図５では「手術Ａ」に相当）を示す場合には、第一モードを選択する必要がある。なお、目的情報が、脳の手術など、Ｘ線撮影を中断することに大きなリスクが生じうる様な手術を示すか否かの判断は、次のような処理をステップＳ４０２において行うことで達成し得る。
【００６２】
例えば、診療情報に記されている最新の撮影対象部位（次に撮影する対象部位）をチェックする。そして、撮影対象部位が「脳」など、Ｘ線撮影を中断することに大きなリスクが生じうる手術の対象部位である場合には、目的情報は、脳の手術など、Ｘ線撮影を中断することに大きなリスクが生じうる手術を示すものと判断する。係る処理は、予め設定されたキーワード（「脳」など、Ｘ線撮影を中断することに大きなリスクが生じうる手術の対象部位を示すキーワード）が、診療情報に記されている最新の撮影対象部位であるのか否かの処理を行うことでなし得る。
【００６３】
また、これから行うＸ線撮影の目的が「手術Ｂ」、若しくは「手術Ｃ」の為である場合、換言すれば、ステップＳ４０２において導出した目的情報が「手術Ｂ」若しくは「手術Ｃ」を示す場合には、ステップＳ４０３では第二モードを選択する。第二モードとは、予め設定された動作制御を、操作部１１０からの情報伝達が正常に行なわれなくなったと判断した後に行う為のモードである。第二モードは、被写体１０５の被曝量低減を重視する際の動作モードである。
【００６４】
例えば、「１つの手術の中で何時から何時まではこの内容の手術を行う」というような計画的な手術（図５では「手術Ｂ」若しくは「手術Ｃ」に相当）をＸ線撮影を行いながら実行する場合には、係る計画に基づいた条件に従ってＸ線撮影を行う必要がある。従って、この場合には、第二モードを選択する必要がある。なお、目的情報が、計画的な手術を示すか否かの判断は、次のような処理をステップＳ４０２において行うことで達成し得る。
【００６５】
例えば、診療情報に記されている最新の予約情報に、次の手術についての計画（スケジュール）の項目が記されているかチェックする。そして、記されている場合には、目的情報は、計画的な手術を示すものと判断する。
【００６６】
また、これから行うＸ線撮影の目的が「手術Ｄ」、若しくは「検査Ｅ」の為である場合、換言すれば、ステップＳ４０２において導出した目的情報が「手術Ｄ」、若しくは「検査Ｅ」を示す場合には、ステップＳ４０３では第三モードを選択する。第三モードとは、ＡＢＣ（Ａｕｔｏ  Ｂｒｉｇｈｔｎｅｓｓ  Ｃｏｎｔｒｏｌ）制御を、操作部１１０からの情報伝達が正常に行なわれなくなったと判断した後に行う為のモードである。第三モードは、第二のモードと同様に、被写体１０５の被曝量低減を重視する為の動作モードである。
【００６７】
例えば、上述のような計画的な手術では無く、且つ消化器官系など、脳ほどは重要でない部位の手術や検査（図５では「手術Ｄ」若しくは「検査Ｅ」に相当）である場合には、ＡＢＣ制御を行うことが好適である。従って、この場合には、第三モードを選択する必要がある。なお、目的情報が、上述のような計画的な手術では無く、且つ消化器官系など、脳ほどは重要でない部位の手術や検査を示すか否かの判断は、次のような処理をステップＳ４０２において行うことで達成し得る。
【００６８】
例えば、診療情報に記されている最新の撮影対象部位（次に撮影する対象部位）をチェックする。そして、撮影対象部位が「胃」など、脳ほどは重要でない部位である場合には、目的情報は、上述のような計画的な手術では無く、且つ消化器官系など、脳ほどは重要でない部位の手術や検査を示すものと判断する。係る処理は、予め設定されたキーワード（「胃」など、脳ほどは重要でない部位を示すキーワード）が、診療情報に記されている最新の撮影対象部位であるのか否かの検索処理を行うことでなし得る。
【００６９】
また、これから行うＸ線撮影の目的が「検査Ｆ」の為である場合、換言すれば、ステップＳ４０２において導出した目的情報が「検査Ｆ」を示す場合には、ステップＳ４０３では第四モードを選択する。第四モードとは、操作部１１０からの情報伝達が正常に行なわれなくなったと判断した後に、Ｘ線撮影を停止させる為のモードである。第四モードは、操作部１１０から動作指示情報が伝達できない状態で照射を継続することのリスクが大きい場合等、装置の信頼性を重視する為の動作モードである。
【００７０】
例えば、診療情報に記されている最新の予約情報をチェックし、そこに「手術」の文字が記載されていない場合には、目的情報は、「検査」を示すものと判断する。係る処理についても、予め設定されたキーワード（「手術」を示すキーワード）が、最新の予約情報に記されているか否かの検索処理を行うことでなし得る。
【００７１】
なお、これらの動作モードは、操作部１１０からの情報伝達が正常に行なわれなくなった場合に適用されるもので、通常動作時には適用されないものである。
【００７２】
なお、図５では、選択可能なモードを４つとしているが、モードの数やその内容についてはこれに限定するものではなく、これらはＸ線画像診断装置を適用する環境に応じて適宜変更すればよい。
【００７３】
また、診療情報から目的情報を導出するための処理として上記で説明したものは一例であり、そのための処理には様々なものが考え得る。
【００７４】
次に、上記ステップＳ３０７における処理の詳細について、図６を用いて説明する。図６は、ステップＳ３０７における処理の詳細を示すフローチャートである。
【００７５】
先ず、ステップＳ６０２では、ＣＰＵ２０１は、ステップＳ３０３において決定した動作モードを、照射条件制御プログラム２０６に通知する。
【００７６】
次に、ステップＳ３０３において決定した動作モードが第一モードである場合には、ステップＳ６０３を介してステップＳ６０４に処理を進める。また、ステップＳ３０３において決定した動作モードが第二モードである場合には、ステップＳ６０３を介してステップＳ６０６に処理を進める。また、ステップＳ３０３において決定した動作モードが第三モードである場合には、ステップＳ６０３を介してステップＳ６０８に処理を進める。また、ステップＳ３０３において決定した動作モードが第四モードである場合には、ステップＳ６０３を介して本処理を終了する。即ち、Ｘ線撮影を中断する。
【００７７】
ステップＳ６０４では、操作部１１０からの情報伝達が正常に行なわれなくなったと判断する直前までのＸ線制御部１０８、画像読取部１１１の動作制御を、係る判断後も継続させる。即ち、操作部１１０からの情報伝達が正常に行なわれなくなったと判断する直前までの各照射条件（管電流、管電圧、フレームレート等）のまま、Ｘ線の照射を行なう。
【００７８】
次に、ステップＳ６０５では、ＣＰＵ２０１は、Ｘ線の照射の停止指示が入力されたか否かをチェックする。例えば、操作部１１０とは別系統で装備された緊急停止ボタンが押下されたか否かをチェックする。係るチェックの結果、Ｘ線の照射の停止指示が入力された場合には、本処理を終了させることで、Ｘ線の照射を中断する。一方、Ｘ線の照射の停止指示が入力されていない場合には、処理をステップＳ６０４に戻す。
【００７９】
ステップＳ６０６では、予め設定された各種の照射条件に基づいてＸ線照射を行うように動作制御を行う。
【００８０】
次に、ステップＳ６０７では、ＣＰＵ２０１は、Ｘ線の照射の停止指示が入力されたか否かをチェックする。例えば、操作部１１０とは別系統で装備された緊急停止ボタンが押下されたか否かをチェックする。係るチェックの結果、Ｘ線の照射の停止指示が入力された場合には、本処理を終了させることで、Ｘ線の照射を中断する。一方、Ｘ線の照射の停止指示が入力されていない場合には、処理をステップＳ６０６に戻す。
【００８１】
ステップＳ６０８では、ＡＢＣ制御の設定情報をオンにし、ＡＢＣ制御で決定される各種の照射条件に基づいてＸ線照射を行うように動作制御を行う。
【００８２】
次に、ステップＳ６０９では、ＣＰＵ２０１は、Ｘ線の照射の停止指示が入力されたか否かをチェックする。例えば、操作部１１０とは別系統で装備された緊急停止ボタンが押下されたか否かをチェックする。係るチェックの結果、Ｘ線の照射の停止指示が入力された場合には、本処理を終了させることで、Ｘ線の照射を中断する。一方、Ｘ線の照射の停止指示が入力されていない場合には、処理をステップＳ６０８に戻す。
【００８３】
なお、図１において、Ｘ線診療情報管理部１１４は、システム制御部１０９とは別個の処理ユニットとして示しているが、Ｘ線診療情報管理部１１４はシステム制御部１０９内に含めるようにしても良い。また、Ｘ線診療情報管理部１１４をＸ線画像診断装置とは別個の装置に備えさせ、Ｘ線画像診断装置がネットワークを介して係るＸ線診療情報管理部１１４内の情報を取得するようにしても良い。
【００８４】
［第２の実施形態］
第１の実施形態では、被写体１０５に対してこれから行うＸ線撮影の目的を示す目的情報を、Ｘ線診療情報管理部１１４に管理されている被写体１０５の診療情報に基づいて導出していた。しかし、目的情報を取得するための構成はこれに限定するものではなく、操作部１１０を介して直接目的情報を入力するようにしても良い。
【００８５】
本実施形態では、目的情報を操作部１１０を用いて直接入力すること以外は第１の実施形態と同じである。
【００８６】
図７は、システム制御部１０９の構成例を示す図である。本実施形態では、操作部１１０に、これから行うＸ線撮影の目的を入力するための撮影目的設定部７０１を設けた点のみが、第１の実施形態とは異なる。
【００８７】
操作者である医師や技師は、Ｘ線撮影を行う前に、係るＸ線撮影を行う目的を示す目的情報を入力する。係る目的情報とは第１の実施形態で説明したように、例えば、手術Ａ〜手術Ｄ、検査Ｅ、検査Ｆの何れかを示すものである。
【００８８】
そして、ＣＰＵ２０１は、動作モード決定プログラム２０５を実行すると、この直接入力された目的情報を取得する。目的情報を取得した以降の動作については、第１の実施形態と同じである。
【００８９】
即ち、本実施形態は、目的情報の取得形態が第１の実施形態と異なるだけで、それ以外については第１の実施形態と同じである。
【００９０】
本実施形態に係るＸ線画像診断装置が行う処理は基本的には図３に示したフローチャートに従ったものであるが、ステップＳ３０３における処理のみが異なる。
【００９１】
図８は、本実施形態で行うステップＳ３０３における処理の詳細を示すフローチャートである。
【００９２】
先ず、ステップＳ８０２では、ＣＰＵ２０１は、動作モード決定プログラム２０５を実行する。これにより、ＣＰＵ２０１は、撮影目的設定部７０１を用いて入力された「これから被写体１０５について行うＸ線撮影の目的を示す目的情報」を取得する。
【００９３】
次に、ステップＳ８０３では、ＣＰＵ２０１は先ず、図５に例示したテーブル（動作モード決定テーブル）を参照する。そして、ステップＳ８０２において取得した目的情報に対応する動作モードを決定する。本ステップにおける処理は、上記ステップＳ４０３における処理と同じである。
【００９４】
なお、本実施形態では、撮影目的設定部７０１は操作部１１０の一部であるものとして説明したが、操作部１１０とは別個のものであっても良い。
【図面の簡単な説明】
【００９５】
【図１】本発明の第１の実施形態に係るＸ線画像診断装置の機能構成例を示すブロック図である。
【図２】システム制御部１０９の構成例を示す図である。
【図３】Ｘ線画像診断装置が行うＸ線撮影処理のフローチャートである。
【図４】ステップＳ３０３における処理の詳細を示すフローチャートである。
【図５】目的情報と動作モードとの対応関係を示すテーブルの構成例を示す図である。
【図６】ステップＳ３０７における処理の詳細を示すフローチャートである。
【図７】システム制御部１０９の構成例を示す図である。
【図８】本発明の第２の実施形態で行うステップＳ３０３における処理の詳細を示すフローチャートである。
【図１】
0005424583.tif 000002
【図２】
0005424583.tif 000003
【図３】
0005424583.tif 000004
【図４】
0005424583.tif 000005
【図５】
0005424583.tif 000006
【図６】
0005424583.tif 000007
【図７】
0005424583.tif 000008
【図８】
0005424583.tif 000009